【手続補正書】
【提出日】平成18年6月12日(2006.6.12)
【手続補正１】
【補正対象書類名】明細書
【補正対象項目名】特許請求の範囲
【補正方法】変更
【補正の内容】
【特許請求の範囲】
【請求項１】  ネットワークに接続されたネットワークデバイスを設定するデバイス設定装置であって、
ネットワークデバイスから送信される設定要求を受信する第１の受信手段と、
前記設定要求を受信すると、ネットワークデバイスを設定するための設定情報を送信する送信手段と、
前記設定情報がネットワークデバイスにおいて受信されて該ネットワークデバイスにおいて反映された後に該ネットワークデバイスが送信する該ネットワークデバイスのデバイス種別を示すデバイス種別情報及びネットワークデバイスを識別する識別情報のうちの少なくとも１つを受信する第２の受信手段と、
ネットワークデバイスを使用するために必要となる情報として前記デバイス種別情報及び前記識別情報のうちの少なくとも１つを登録する登録手段と
を有することを特徴とするデバイス設定装置。
【請求項２】  前記デバイス種別情報及び前記識別情報のうちの少なくとも１つに基づいて、ネットワークデバイスを利用する権限を有するユーザグループを定義して管理する管理手段をさらに含む請求項１に記載のデバイス設定装置。
【請求項３】  所定の情報処理装置と通信するネットワークデバイスであって、
ネットワークに接続するために必要となる設定情報の送信要求を前記情報処理装置に対して送信する第１の送信手段と、
前記送信要求に対する応答として前記情報処理装置から送信される設定情報を受信する受信手段と、
前記設定情報を受信すると、前記ネットワークに接続するためのプロトコルスタックによりアクセス可能な記憶エリアに該設定情報を記憶する記憶手段と、
ネットワークデバイスの種別を示すデバイス種別情報及びネットワークデバイスを識別する識別情報のうちの少なくとも１つを前記情報処理装置に登録すべく、該デバイス種別情報及び該識別情報のうちの少なくとも１つを前記情報処理装置に対して送信する第２の送信手段と
を有することを特徴とするネットワークデバイス。
【請求項４】  ネットワークに接続されたネットワークデバイスを設定するデバイス設定装置であって、
前記ネットワークに接続された一以上のネットワークデバイスに対して現在の設定情報を要求するための要求情報を送信する第１の送信手段と、
ネットワークデバイスから送信される現在の設定情報を受信する第１の受信手段と、
前記第１の受信手段が受信した設定情報が前記ネットワークにおいて不適切か否かを判定する判定手段と、
不適切と判定された場合に、ネットワークデバイスを設定するための設定情報を送信する第２の送信手段と、
前記設定情報がネットワークデバイスにおいて受信されて該ネットワークデバイスにおいて反映された後に該ネットワークデバイスが送信するネットワークデバイスの種別を示すデバイス種別情報及びネットワークデバイスを識別する識別情報のうちの少なくとも１つを受信する第２の受信手段と、
前記ネットワークデバイスを使用するために必要となる情報として前記デバイス種別情報及び前記識別情報のうちの少なくとも１つを登録する登録手段と
を有することを特徴とするデバイス設定装置。
【請求項５】  前記デバイス種別情報に基づいて、ネットワークデバイスを利用する権限を有するユーザグループを定義して管理する管理手段をさらに含む請求項４に記載のデバイス設定装置。
【請求項６】  所定の情報処理装置と通信するネットワークデバイスであって、
前記ネットワークデバイスにおける現在の設定情報を記憶する第１の記憶手段と、
前記現在の設定情報についての送信要求を前記情報処理装置から受信する第１の受信手段と、
前記送信要求を受信すると、前記第１の記憶手段に記憶されている設定情報を送信する第１の送信手段と、
前記情報処理装置から送信される新たな設定情報を受信する第２の受信手段と、
前記新たな設定情報を受信すると、前記ネットワークに接続するためのプロトコルによりアクセス可能な記憶エリアに該新たな設定情報を記憶する第２の記憶手段と、
前記ネットワークデバイスを使用するために必要となる情報としてネットワークデバイスの種別を示すデバイス種別情報及びネットワークデバイスを識別する識別情報のうちの少なくとも１つを前記情報処理装置に登録すべく、該デバイス種別情報及び該識別情報のうちの少なくとも１つを前記情報処理装置に対して送信する第２の送信手段と
を有することを特徴とするネットワークデバイス。
【請求項７】  ネットワークに接続されたネットワークデバイスを設定するデバイス設定方法であって、
ネットワークデバイスから送信される設定要求を受信する第１の受信ステップと、
前記設定要求を受信すると、ネットワークデバイスを設定するための設定情報をネットワークデバイスに対して送信する送信ステップと、
前記設定情報がネットワークデバイスにおいて受信されて該ネットワークデバイスにおいて反映された後に該ネットワークデバイスが送信するネットワークデバイスの種別を示すデバイス種別情報及びネットワークデバイスを識別する識別情報のうちの少なくとも１つを受信する第２の受信ステップと、
ネットワークデバイスを使用するために必要となる情報として前記デバイス種別情報及び前記識別情報のうちの少なくとも１つを登録する登録ステップと
を有することを特徴とするデバイス設定方法。
【請求項８】  ネットワークに接続されたネットワークデバイスを設定するデバイス設定方法であって、
前記ネットワークに接続された一以上のネットワークデバイスに対して、現在の設定情報を要求するための要求情報を送信する第１の送信ステップと、
ネットワークデバイスから送信される現在の設定情報を受信する第１の受信ステップと、
前記第１の受信ステップが受信した設定情報が前記ネットワークにおいて不適切か否かを判定する判定ステップと、
不適切と判定された場合に、ネットワークデバイスを設定するための設定情報をネットワークデバイスに対して送信する第２の送信ステップと、
前記設定情報がネットワークデバイスにおいて受信されて該ネットワークデバイスにおいて反映された後に該ネットワークデバイスが送信するネットワークデバイスの種別を示すデバイス種別情報及びネットワークデバイスを識別する識別情報のうちの少なくとも１つを受信する第２の受信ステップと、
前記ネットワークデバイスを使用するために必要となる情報として前記デバイス種別情報及び前記識別情報のうちの少なくとも１つを登録する登録ステップと
を有することを特徴とするデバイス設定方法。
【請求項９】  ネットワークに接続されたネットワークデバイスを設定するデバイス設定プログラムであって、
ネットワークデバイスから送信される設定要求を受信するステップと、
前記設定要求を受信すると、ネットワークデバイスを設定するための設定情報を送信するステップと、
前記設定情報がネットワークデバイスにおいて受信されて該ネットワークデバイスにおいて反映された後に該ネットワークデバイスが送信するネットワークデバイスの種別を示すデバイス種別情報及びネットワークデバイスを識別する識別情報のうちの少なくとも１つを受信するステップと、
ネットワークデバイスを使用するために必要となる情報として前記デバイス種別情報及び前記識別情報のうちの少なくとも１つを登録するステップと
をコンピュータに実行させるためのデバイス設定プログラム。
【請求項１０】  前記デバイス種別情報に基づいて、ネットワークデバイスを利用する権限を有するユーザグループを定義して管理するステップをさらに含む請求項９に記載のデバイス設定プログラム。
【請求項１１】  所定の情報処理装置と通信してネットワークデバイスのネットワーク設定を実行する設定プログラムであって、
ネットワークに接続するために必要となる設定情報の送信要求を前記情報処理装置に対して送信するステップと、
前記設定要求に対する応答として前記情報処理装置から送信される設定情報を受信するステップと、
前記設定情報を受信すると、前記ネットワークに接続するためのプロトコルスタックによりアクセス可能な記憶エリアに該設定情報を記憶するステップと、
前記ネットワークデバイスを使用するために必要となる情報としてネットワークデバイスの種別を示すデバイス種別情報及びネットワークデバイスを識別する識別情報のうちの少なくとも１つを前記情報処理装置において登録すべく、該デバイス種別情報及び該識別情報のうちの少なくとも１つを前記情報処理装置に対して送信するステップと
をネットワークデバイスに実行させるための設定プログラム。
【請求項１２】  ネットワークに接続されたネットワークデバイスを設定するデバイス設定プログラムであって、
前記ネットワークに接続された一以上のネットワークデバイスに対して現在の設定情報を要求するための要求情報を送信するステップと、
ネットワークデバイスから送信される現在の設定情報を受信するステップと、
前記受信した設定情報が前記ネットワークにおいて不適切か否かを判定するステップと、
不適切と判定された場合に、ネットワークデバイスを設定するための設定情報を送信するステップと、
前記設定情報がネットワークデバイスにおいて受信されて該ネットワークデバイスにおいて反映された後に該ネットワークデバイスが送信するネットワークデバイスの種別を示すデバイス種別情報及びネットワークデバイスを識別する識別情報のうちの少なくとも１つを受信するステップと、
前記ネットワークデバイスを使用するために必要となる情報として前記デバイス種別情報及び前記識別情報のうちの少なくとも１つを登録するステップと
をコンピュータに実行させるためのデバイス設定プログラム。
【請求項１３】  前記デバイス種別情報及び前記識別情報のうちの少なくとも１つに基づいて、ネットワークデバイスを利用する権限を有するユーザグループを定義して管理するステップをさらに含む請求項１２に記載のデバイス設定プログラム。
【請求項１４】  所定の情報処理装置と通信してネットワークの設定を実行するネットワークデバイスの設定プログラムであって、
前記ネットワークデバイスにおける現在の設定情報の送信要求を前記情報処理装置から受信するステップと、
現在の設定情報を記憶する記憶装置から現在の設定情報を読み出して、前記情報処理装置に送信するステップと、
前記情報処理装置から送信される新たな設定情報を受信するステップと、
前記新たな設定情報を受信すると、前記ネットワークに接続するためのプロトコルによりアクセス可能な記憶エリアに該新たな設定情報を記憶するステップと、
前記ネットワークデバイスを使用するために必要となる情報としてネットワークデバイスの種別を示すデバイス種別情報及びネットワークデバイスを識別する識別情報のうちの少なくとも１つを前記情報処理装置において登録すべく、該デバイス種別情報及び該識別情報のうちの少なくとも１つを前記情報処理装置に対して送信するステップと
をネットワークデバイスに実行させるための設定プログラム。
【手続補正２】
【補正対象書類名】明細書
【補正対象項目名】００１２
【補正方法】変更
【補正の内容】
【００１２】
【課題を解決するための手段】
本発明のある観点によれば、ネットワークデバイスを設定するための設定情報をデバイス設定装置からネットワークデバイスへ送信し、ネットワークデバイスのデバイス種別を示すデバイス種別情報及びネットワークデバイスを識別する識別情報のうちの少なくとも１つをネットワークデバイスからデバイス設定装置へ送信するようにした。
【手続補正３】
【補正対象書類名】明細書
【補正対象項目名】００８４
【補正方法】変更
【補正の内容】
【００８４】
【発明の効果】
本発明によれば、ネットワークデバイスを設定するとともに、当該ネットワークデバイスのデバイス種別を示す種別情報及び当該ネットワークデバイスを識別する識別情報のうちの少なくとも１つを取得してデータベース化することにより、ネットワーク管理者の負担を軽減できる。